(57)【要約】【課題】コンクリートとシース管との間に隙間が発生せず、従って雨水の浸入がなく、コンクリートの酸化を生じさせない手摺りの取付方法を提供する。【解決手段】コンクリート製の堰壁形成用型枠２内の手摺り支柱取付位置に、コンクリートが管内部へは流れ込まないが、コンクリートが網目５ａから管内へ突き出た状態で係止するようなメッシュ状管本体５からなる手摺り支柱取付用シース管３を治具４を介して固定し、その後型枠２内にコンクリートを打設し、コンクリートの硬化を待って治具４を型枠２及びシース管３から取り外し、シース管３内に手摺り支柱取付用アンカー部材２５を挿入した後、シース管３内にセメントモルタルを流し込んで、メッシュ状管本体５の網目５ａから管内に突出したコンクリートと一体化させ、シース管３内のセメントモルタルの硬化を待ってアンカー部材２５に筒状手摺り支柱を嵌合固定する。【選択図】図８
2011047224.tif 000002
【特許請求の範囲】
【請求項１】
コンクリート製の手摺り取付用堰壁を形成するための型枠を枠組みして内部に配筋し、この型枠内の手摺り支柱取付位置に、コンクリート打設時にコンクリートが管外部から管内部へは流れ込まないが、コンクリートが網目から管内へ突き出た状態で係止するようになっているメッシュ状管本体からなる手摺り支柱取付用シース管を、型枠に取り付けた治具を介して固定し、その後型枠内にコンクリートを打設し、コンクリーの硬化を待って治具を型枠及びシース管から取り外し、前記シース管内に手摺り支柱取付用アンカー部材を挿入した後、このシース管内にセメントモルタルを流し込んで、シース管の網目から管内に突出したコンクリートと一体化させ、このシース管内のセメントモルタルの硬化を待って前記アンカー部材に筒状手摺り支柱を嵌合固定することによって、手摺りを前記手摺り設置用堰壁に取り付けるようにした手摺りの取付方法。
【請求項２】
前記治具は、前記堰壁形成用型枠の両側部上面に取り付けられる両側一対の取付板と、両取付板間に介設された下窄まり有底筒状のシース管開口部形成用型枠とからなり、この型枠の下面に前記シース管をボルトナットによって垂下連結し、両取付板を前記堰壁形成用型枠に釘止めにより取付け固定するようにした請求項１に記載の手摺りの取付方法。
【請求項３】
前記治具の取付板には治具幅方向中心位置に、前記堰壁形成用型枠の両側部上面に手摺り支柱の取付ピッチごとに墨打ちされた治具固定位置マークを視認するための型枠幅方向に長い長孔を設け、長孔の両側には複数の丸孔を長孔と平行列状に設け、前記シース管開口部形成用型枠には治具長さ方向中心位置にセンターマークを設け、治具固定位置マークに合わせて長孔より仮固定用釘を前記堰壁形成用型枠上面に打ち込み、センターマークを確認しながら治具長さ方向中心位置を調整して本固定用釘を前記丸孔より型枠上面に打ち込むようにした請求項１又は２に記載の手摺りの取付方法。
【請求項４】
前記シース管内に流し込むセメントモルタルは、無収縮グラウト材からなる請求項１〜３の何れかに記載の手摺りの取付方法。
【請求項５】
前記シース管のメッシュ状管本体は、金属又は合成樹脂製の網材によって形成してなる請求項１〜４の何れかに記載の手摺りの取付方法。
【発明の詳細な説明】
【技術分野】
【０００１】
本発明は、建物のベランダの外側縁部に突設される堰壁あるいは建物の内廊下や階段部分に突設される堰壁さらには建物の屋上周縁部に突設される堰壁（パラペット）に手摺りを取り付ける方法に関し、特に手摺り支柱の取付方法に関する。
【背景技術】
【０００２】
手摺りの設置にあたり、堰壁形成用の型枠を配設し、この型枠内の手摺り支柱取付位置に、支柱を取り付ける取付孔を形成する支柱取付用シース管を埋設する方法が従来より行われている。このシース管を使用した手摺り支柱の取付方法は、例えば下記特許文献１に記載されている。この方法は、アルミ押出形材製の管本体とアルミ製の底板とからなるシース管を堰壁形成用の型枠内の所定位置にシース管取付部材を介して固定し、その後型枠内にコンクリートを打設し、コンクリートの硬化を待ってシース管取付部材を型枠から取り外した後、コンクリート内に埋設された状態のシース管の内部（支柱取付孔）に手摺り支柱を挿入し、セメントモルタルを流し込むことによって、手摺り支柱をシース管内に固定する。
【先行技術文献】
【特許文献】
【０００３】
【特許文献１】特開２００８−２７４７００号公報
【発明の概要】
【発明が解決しようとする課題】
【０００４】
シース管を用いた従来の支柱取付方法においては、上記特許文献１で明らかなように、シース管がアルミ等金属製の筒体からなるもので、コンクリートとの密着性が無いため、コンクリート内に埋設された時にコンクリートと剥離し易く、その隙間に雨水が浸入してコンクリートの酸化を促進させ、このコンクリートの酸化によって鉄筋が腐食し、その膨張圧によってコンクリート躯体である堰壁に亀裂（クラック）や破断が生じていた。また、シース管にコンクリートとの密着性が無いため、手摺り支柱に人が寄り掛かったり、手摺り支柱が風圧を受けると、手摺り支柱にかかる力が手摺り支柱を介してコンクリート躯体に伝わり、その力に抗する部分がシース管との対向面であるコンクリートの一部であり、大きな強度が得られなかった。
【０００５】
本発明は、上記の課題に鑑み、コンクリートとシース管との間に隙間が発生せず、従って雨水の浸入がなく、コンクリートの酸化を生じさせず、そして手摺り支柱取付部の強度を向上させることのできる手摺りの取付方法を提供することを目的とする。
【課題を解決するための手段】
【０００６】
上記課題を解決するための手段を、後述する実施形態の参照符号を付して説明すると、請求項１に係る発明は、コンクリート製の手摺り取付用堰壁１を形成するための型枠２を枠組みして内部に配筋し、この型枠２内の手摺り支柱取付位置に、コンクリート打設時にコンクリート２３が管外部から管内部へは流れ込まないが、コンクリート２３が網目５ａから管内へ突き出た状態で係止するようになっているメッシュ状管本体５からなる手摺り支柱取付用シース管３を、型枠２に取り付けた治具４を介して固定し、その後型枠２内にコンクリート２３を打設し、コンクリート２３の硬化を待って治具４を型枠２及びシース管３から取り外し、前記シース管３内に手摺り支柱取付用アンカー部材２５を挿入した後、このシース管３内にセメントモルタル２６を流し込んで、メッシュ状管本体５の網目５ａから管内に突出したコンクリート２３と一体化させ、このシース管３内のセメントモルタル２６の硬化を待って前記アンカー部材２５に筒状手摺り支柱２７を嵌合固定することによって、手摺りを前記手摺り設置用堰壁１に取り付けるようにしたことを特徴としている。尚、ここでメッシュ状管本体５とは、メッシュ状の筒状体そのもので、これの底部に非メッシュ状又はメッシュ状の底板が取り付けられる場合と、メッシュ状の筒状体と非メッシュ状又はメッシュ状の底板とからなる場合を言うものとする。後述する実施形態は、前者の場合とする。
【０００７】
請求項２は、請求項１に記載の手摺りの取付方法において、前記治具４は、前記堰壁形成用型枠２の両側部上面２ａに取り付けられる両側一対の取付板１０，１０と、両取付板１０，１０間に介設された下窄まり有底筒状のシース管開口部形成用型枠１１とからなり、この型枠１１の下面に前記シース管３をボルトナット９，１２によって垂下連結し、両取付板１０，１０を前記堰壁形成用型枠２に釘止め１３，１４により取付け固定するようにしたことを特徴とする。
【０００８】
請求項３は、請求項１又は２に記載の手摺りの取付方法において、前記治具４の取付板１０には治具幅方向中心位置に、前記堰壁形成用型枠２の両側部上面２ａに手摺り支柱の取付ピッチごとに墨打ちされた治具固定位置マーク２０を視認するための型枠幅方向に長い長孔２１を設け、長孔２１の両側には複数の丸孔２２を長孔２１と平行列状に設け、前記シース管開口部形成用型枠１１には治具長さ方向中心位置にセンターマーク１９を設け、治具固定位置マーク２０に合わせて長孔２１より仮固定用釘１３を前記堰壁形成用型枠上面２ａに打ち込み、センターマーク１９を確認しながら治具長さ方向中心位置を調整して本固定用釘１４を前記丸孔２２より型枠上面２ａに打ち込むようにしたことを特徴とする。
【０００９】
請求項４は、請求項１〜３の何れかに記載の手摺りの取付方法において、前記シース管３内に流し込むセメントモルタル２６は、無収縮グラウト材からなることを特徴としている。
【００１０】
請求項５は、請求項１〜４の何れかに記載の手摺りの取付方法において、前記シース管３のメッシュ状管本体５は、金属又は合成樹脂製の網材によって形成してなることを特徴とする。
【発明の効果】
【００１１】
上記解決手段による発明の効果を、後述する実施形態の参照符号を付して説明すると、請求項１に係る発明によれば、手摺り取付用堰壁１を形成するための型枠２内に、手摺り支柱取付用シース管３として、コンクリート打設時にコンクリート２３が管外部から管内部へは流れ込まないが、コンクリート２３が網目５ａから管内へ突き出た状態で係止するようになっているメッシュ状管本体５からなるシース管３を、型枠２に取り付けた治具４を介して固定しているので、型枠２内に打設したコンクリート２３は、シース管３の周囲においてメッシュ状管本体５の外部からその内部へは流れ込まないが、メッシュ状管本体５の網目５ａから管内へ突き出た状態で係止するようになり、しかしてシース管３内に手摺り支柱取付用アンカー部材２５を挿入した後、シース管３内にセメントモルタル２６を流し込むと、このセメントモルタル２６は、メッシュ状管本体５の網目５ａから管内に突出して凹凸状となったコンクリート部分２３ａに食い付いた状態で一体化する。
【００１２】
このように堰壁形成用型枠２内のコンクリート２３とシース管３内のセメントモルタル２６とが一体化することで、シース管３との隙間が発生しないから、隙間からの雨水の浸入が無く、シース管３を起因とするコンクリート２３の酸化も生じない。また、型枠２内のコンクリート２３とシース管３内のセメントモルタル２６とが一体化することにより、コンクリート２３に対するシース管３側セメントモルタル２６の付着剪断力が非常に高くなって、手摺り支柱取付部の強度性能を向上させることができる。
【００１３】
請求項２に係る発明によれば、治具４は、堰壁形成用型枠２の両側部上面２ａに取り付けられる両側一対の取付板１０，１０と、両取付板１０，１０間に介設された下窄まり有底筒状のシース管開口部形成用型枠１１とからなり、この型枠１１の下面にシース管３をボルトナット９，１２によって垂下連結し、両取付板１０，１０を堰壁形成用型枠２に釘止め１３，１４により取付け固定するようにしたから、治具４へのシース管３の取付けを簡単に行えると共に、堰壁形成用型枠２への治具４の取付を簡単に行え、施工能率を向上できる。
【００１４】
請求項３に係る発明によれば、取付板１０の治具幅方向中心位置に、堰壁形成用型枠２の両側部上面２ａに手摺り支柱の取付ピッチごとに墨打ちされた治具固定位置マーク２０を視認するための型枠幅方向に長い長孔２１を設け、この長孔２１の両側には複数の丸孔２２を長孔２１と平行列状に設け、そしてシース管開口部形成用型枠１１には治具長さ方向中心位置にセンターマーク１９を設けておいて、治具固定位置マーク２０に合わせて長孔２１より仮固定用釘１３を堰壁形成用型枠上面２ａに打ち込み、センターマーク１９を確認しながら治具長さ方向中心位置を調整して本固定用釘１４を丸孔２２より型枠上面２ａに打ち込むようにすることによって、各治具４を手摺り支柱取付位置に正確且つ迅速に取り付けることができる。
【００１５】
請求項４に係る発明によれば、セメントモルタル２６として、無収縮材を含むグラウト材からなるものを使用することにより、コンクリート２３に対する付着剪断力を一層高めることができる。
【００１６】
請求項５に記載のように、シース管３のメッシュ状管本体５としては、金属又は合成樹脂製の網材によって形成したものを使用することができる。この場合、管本体５は、メッシュ状の筒状体に同じくメッシュ状の底部を形成したものでもよいし、メッシュ状の筒状体に非メッシュ状の底部を取り付けたものでもよい。
【図面の簡単な説明】
【００１７】
【図１】(a) は本発明に係る手摺りの取付方法の最初の行程を示す正面図、(b) は同斜視図である。
【図２】(a) は同次行程を示す正面図、(b) は同斜視図である。
【図３】(a) は同次行程を示す正面図、(b) は同斜視図である。
【図４】(a) は同次行程を示す正面図、(b) は同次行程を示す正面図である。
【図５】(a) は同次行程を示す縦断正面図、(b) はコンクリート打設時のシース管周辺部分の拡大断面図である。
【図６】(a) はシース管取付用治具にメッシュ状シース管を取り付けた状態の正面図、(b) は治具及びメッシュ状シース管の分解図である。
【図７】(a) はシース管取付用治具を型枠に取り付けた状態の平面図、(b) は(a) のＸ−Ｘ線断面図である。
【図８】(a) は図５の(a) に引き続き次行程を示す縦断正面図、(b) は同次行程を示す縦断正面図である。
【図９】(a) は同次行程を示す縦断正面図、(b) は最終行程を示す縦断正面図である。
【図１０】本発明によって組み立てられた手摺りの斜視図である。
【発明を実施するための形態】
【００１８】
以下に本発明の好適な一実施形態を図面に基づいて説明すると、図１の(a) 及び(b) は本発明に係る手摺りの取付方法の最初の行程を示すもので、先ず最初に手摺り取付用の堰壁１を形成するための型枠２を組み立てる。この型枠２は、周知のように合板等からなる堰板２ａ、角材等からなる支持枠２ｂ及び底板２ｃからなるものである。尚、図示しないが、内部に鉄筋を配設してもよい。尚また、堰板２ａの内壁面には断面三角形状の突起２ｄが一体的に形成されるが、これは図９及び図１０に示すように手摺り取付用堰壁１の隅角部の面取りのためのものである。また、底板２ｃの上壁面には水切り形成用の突起２ｅが設けてある。
【００１９】
次に図２の(a) ，(b) 及び図３の(a) ，(b) に示すように、堰壁形成用型枠２内の手摺り支柱取付位置にメッシュ状の手摺り支柱取付用シース管３を、型枠２に取り付けられる治具４を介して固定する。
【００２０】
この手摺り支柱取付用シース管３は、図９の(a) に示すように、型枠２内へのコンクリート打設時にコンクリート２３がシース管３の外部から内部へは流れ込まないが、コンクリート２３が網目５ａから管内へ突き出た状態で係止するように構成されたメッシュ状のシース管で、図６の(a) ，(b) に示すように、スチールやアルミニウム等の金属製の網材、即ち金網によって角筒状に形成されたメッシュ状管本体５と、このメッシュ状管本体５の底部に嵌合固定された角形トレー状の金属製底板６と、メッシュ状管本体５の上端部に嵌合固定された口金７とからなるもので、底板６の下面中央部にはナット８が固着されていて、このナット８にはメッシュ状管本体５を貫通する吊りボルト９の下端部が螺合固定されるようになっている。なお、メッシュ状管本体５は合成樹脂製の網材でもよい。
【００２１】
このシース管３を取り付ける治具４は、図２，図３及び図６に示すように、堰壁形成用型枠２の両側部上面２ｏ，２ｏに釘打ちにより取り付けられる両側一対の取付板１０，１０と、両取付板１０，１０間に介設された下窄まり有底角筒状のシース管開口部形成用型枠１１とからなるもので、図２及び図６に示すように型枠１１の下面にシース管３を前記吊りボルト９及び締付用ナット１２により垂下連結した状態で、図３に示すように両取付板１０，１０を堰壁形成用型枠２の両側部上面２ｏ，２ｏに釘１３，１４打ちして取り付けることにより、シース管３を型枠２内の所定位置に固定する。
【００２２】
上記治具４のシース管開口部形成用型枠１１は、図６及び図７から分かるように、前後側壁１１ａ，１１ａと左右側壁１１ｂ，１１ｂと底壁１１ｃとによって下窄まり有底角筒状に形成されたもので、底壁１１ｃの中央部にはボルト挿通孔１８を設け、また前後各側壁１１ａの上端縁の幅方向中央部に切欠状のセンターマーク１９を設けている。センターマーク１９は治具４の長さ方向中心位置を示すもので、治具４の取り付けにあたっては、このセンターマーク１９が堰壁形成用型枠２の幅方向中心にくるように位置決めする。尚、図６の(b) に示すように型枠１１の底壁１１ｃ上面には補強用底板１１ｄを取り付けることもある。
【００２３】
上記シース管３を治具４に取り付けるには、図６の(b) に示すように、シース管３内の底板６中央部に起立して口金７から上方に突出する吊りボルト９の上端部を、治具４のシース管開口部形成用型枠１１の底壁１１ｃに設けてあるボルト挿通孔１８に挿通し、その挿通端部にパッキン１６、ワッシャー１７を通して締付用ナット１２を螺合し、締め付けることによって、型枠１１の底部下面にシース管３を垂下連結することができる。
【００２４】
上記治具４を堰壁形成用型枠２に取り付ける行程について更に詳細に説明すると、この治具４は、手摺り支柱の取付ピッチおきに堰壁形成用型枠２に固定されるものであって、この型枠２には両側部上面２ｏ，２ｏに、図２の(b) に示すように治具固定位置マーク２０が手摺り支柱の取付ピッチごとに墨打ちされている。そして、図２、図３及び図７に示すように、治具の各取付板１０には治具幅方向中心部に、堰壁形成用型枠２の両側部上面２ｏ，２ｏに墨打ちされた治具固定位置マーク２０を視認するための治具長さ方向（型枠幅方向）に長い長孔２１が設けられ、この長孔２１を挟んでその両側には夫々複数の丸孔２２が長孔２１と平行列状に設けられている。
【００２５】
従って、治具４を堰壁形成用型枠２に取り付けるにあたっては、図３の(a) ，(b) に示すように治具４の両取付板１０，１０を堰壁形成用型枠２の両側部上面２ｏ，２ｏに載置して前後方向（治具４の幅方向又は型枠２の長さ方向）に適宜スライドさせ、各取付板１０の長孔２１に型枠上面２ｏに墨打ちされた治具固定位置マーク２０が見えたら、その位置が手摺り支柱の取付位置であることを確認できるから、各取付板１０の長孔２１より型枠上面２ｏに仮固定用釘１３を打ち込む。この釘１３の打ち込みは、図４の(a) ，(b) に示すように頭が取付板１０上面から若干突き出る程度とする。
【００２６】
こうして仮固定用釘１３を打ち込んだ状態では、治具４は長手方向（型枠２の幅方向）に移動可能であるから、この治具４をその長手方向に適宜スライドさせて、この治具４に設けてあるセンターマーク１９を確認しながら治具４の長さ方向中心位置を調整した上で、図３の(b) 及び図４の(a) ，(b) に示すように各取付板１０の丸孔２２に本固定用釘１４を打ち込み、これによって治具４を型枠２に固定し、治具４の取付けを終了する。一つの治具４の取付けが終わったら、他の治具４も、上述した方法と同じ方法で順次取り付ける。
【００２７】
上述したように、取付板１０の治具幅方向中心位置に、堰壁形成用型枠２の両側部上面２ｏに墨打ちされた治具固定位置マーク２０を視認するための治具長さ方向（型枠幅方向）に長い長孔２１を設け、この長孔２１の両側に複数の丸孔２２を長孔２１と平行列状に設け、そしてシース管開口部形成用型枠１１には治具長さ方向中心位置にセンターマーク１９を設けておいて、治具固定位置マーク２０に合わせて長孔２１より仮固定用釘１３を堰壁形成用型枠上面２ｏに打ち込み、センターマーク１９を確認しながら治具長さ方向中心位置を調整して本固定用釘１４を丸孔２２より型枠上面２ｏに打ち込むことによって、各治具４を手摺り支柱取付位置に正確且つ迅速に取り付けることができる。
【００２８】
こうして治具４を堰壁形成用型枠２に取り付けて、各治具４に垂下連結したシース管３を型枠２内の所定位置に固定したならば、図５の(a) に示すように、この型枠２内にコンクリート２３を打設する。このコンクリート２３は、セメントに砂と砂利を混ぜて水で練ったものとする。型枠２内に打設されたコンクリート２３は、シース管３の周囲においてメッシュ状管本体５の外部からその内部へは流れ込まないが、図５の(b) に示すように、メッシュ状管本体５の網目５ａから管内へ突き出た状態で係止するようになる。その網目５ａから突出して凹凸状を呈したコンクリート部分を２３ａで示す。
【００２９】
コンクリート２３は打設して１〜２日経つとある程度硬化するから、その硬化を待って治具４を堰壁形成用型枠２及びシース管３から取り外す。即ち、図８の(a) に示すように、シース管３側の吊りボルト９の上端部に螺合されているナット１２、ワッシャー１５及びパッキン１６を外し、治具４側の釘１３，１４を抜き取って、取付板１０を堰壁形成用型枠２から分離し、シース管開口部形成用型枠１１をシース管３から分離して、治具４を取り外すことにより、コンクリート２３中にシース管３が埋設された状態となり、シース管３の上部にはシース管開口部２４が形成される。
【００３０】
その後、図８の(b) に示すように、コンクリート２３中に埋設されたシース管３内に手摺り支柱取付用アンカー部材２５の下半部を挿入して固定する。この場合、図示は省略するが、シース管３内の上端部とアンカー２５との間に楔片を周方向に複数個介挿することによってアンカー部材２５をシース管３内の所要位置に固定することができる。
【００３１】
シース管３内に手摺り支柱取付用アンカー部材２５を挿入した後、このシース管３内にセメントモルタル２６（図９）を流し込んで、図９の(a) 及びその一部拡大図から分かるように、メッシュ状管本体５の網目５ａから管内に突出して凹凸状態のコンクリート２３と一体化させる。このセメントモルタル２６は、セメントに砂を混ぜたもの、あるいはセメントに細骨材を混ぜたもの、あるいはセメントに砂又は細骨材を混ぜ更に膨張材を基材とした無収縮材を混ぜたものに、夫々水で練って形成する。このようなセメントモルタル２６は、グラウト材とも言われるが、特に無収縮材を含むグラウト材は、硬化後に収縮しないため高い付着剪断力が得られる。
【００３２】
上記のようにシース管３内に流し込んだセメントモルタル２６は、図９の(a) 及びその一部拡大図に示すように、メッシュ状管本体５の網目５ａから管内に突出して凹凸状となったコンクリート部分２３ａに食い付いた状態で一体化するため、コンクリート２３に対する付着剪断力が非常に高くなって、手摺り支柱取付部の強度性能を格段に向上させることができる。そして、この場合、セメントモルタル２６として、無収縮材を含むグラウト材からなるものを使用すれば、コンクリート２３に対する付着剪断力を一層高めることができる。
【００３３】
しかして、シース管３内に流し込んだセメントモルタル２６は、１〜２日経てば硬化するから、その硬化を待って手摺り支柱取付用アンカー部材２５には、図９の(b) に示すように筒状手摺り支柱２７を嵌合する。尚、堰壁形成用型枠２は、コンクリート２３が十分に硬化すれば、図９の(a) ，(b) に示すように撤去することができ、この型枠２の撤去によって手摺り取付用堰壁１が形成される。図中、２８は型枠２の水切り形成用突起２ｅによって形成された水切りを示す。
【００３４】
手摺り支柱２７は、手摺り支柱取付用アンカー部材２５によって強固に手摺り取付用堰壁１に取り付けられる。そして、この手摺り支柱２７をアンカー部材２５にビス２９によって固定し、図１０に示すように、笠木３０、横桟３１、縦桟３２等を取り付けることによって、手摺り３３を組み立てることができる。
【符号の説明】
【００３５】
１            手摺り取付用堰壁
２            手摺り取付用堰壁を形成するための型枠
３            手摺り支柱取付用シース管
４            治具
５            メッシュ状管本体
１０          取付板
１１          シース管開口部形成用型枠
１２          締付用ナット
１３          仮固定用釘
１４          本固定用釘
１９          センターマーク
２０          治具固定位置マーク
２１          長孔
２２          丸孔
２３          コンクリート
２５          手摺り支柱取付用アンカー
２６          セメントモルタル
２７          筒状手摺り支柱
【図１】
2011047224.tif 000003
【図２】
2011047224.tif 000004
【図３】
2011047224.tif 000005
【図４】
2011047224.tif 000006
【図５】
2011047224.tif 000007
【図６】
2011047224.tif 000008
【図７】
2011047224.tif 000009
【図８】
2011047224.tif 000010
【図９】
2011047224.tif 000011
【図１０】
2011047224.tif 000012